(57)【要約】【課題】  本考案は、内部に空間を有するように形成された分散器において、水に溶け込みやすい微細な気泡を創出するエアレーション用分散器を安価で提供することにある。【解決手段】  厚みの薄いプレート上面全面に、高分子樹脂フィルムにクレーズを生成してなる通気性フィルムを載置し、その周囲を溶着して内部に空間域形成する構成とすることにより、厚みの薄型化とコストの低減を図り、水に溶け込みやすい微細な気泡を容易に創出することのできるエアレーション用分散器を安価で提供する。【選択図】  図１
0003133806.tif 000002
【実用新案登録請求の範囲】
【請求項１】
厚みの薄いプレートの上面全面に、表面に親水性を有する不織布ならびに職布あるいは編布が貼張された高分子樹脂フィルムにクレーズを生成してなる通気性フィルムを載置し、周囲を溶着してプレートと高分子樹脂フィルムにクレーズを生成してなる通気性フィルムとの間に密閉された空間域を形成させた分散器であり、厚みの薄いプレートに高分子樹脂フィルムにクレーズを生成してなる通気性フィルムを載置した構成とすることにより厚みの薄化をなし得たことを特徴とするエアレーション用分散器。
【請求項２】
表面全面もしくは部分的に親水性を有する不織布ならびに職布あるいは編布が貼張された高分子樹脂フィルムにクレーズを生成してなる通気性フィルムにより形成された筒状のエアレーション用分散器。
【考案の詳細な説明】
【技術分野】
【０００１】
本考案は、観賞魚用水槽、養魚場の活魚用生け簀さらには海上、湖沼、河川等の一般水域において、水質の浄化、生物の生長育成を図る目的で使用されるエアレーション用の分散器に関するものである。
【背景技術】
【０００２】
従来よりエアレーション用の分散器としては、多孔質膜、多孔質セラミックス等の多孔質材を用いて内部に空間を有するように形成された多種の形状からなる分散器が採用されている。
【０００３】
空気や酸素等の気体は、エアポンプ等を用いて分散器の内部に形成された空間部に強制的に送り込まれて微加圧状態となり、多孔質材を形成する無数の細孔を透過して水中に気泡の状態で放出される。
【０００４】
これらの多孔質材に存在する無数の細孔は、分散器内に送り込む空気や酸素等の気体の送気量を減ずると加圧が低下して分散器内に入水が生じ、空気や酸素等の送気量を増加すると気体透過量も増大して大きな気泡が創出される程度の気孔であり、水に溶け込み水中に永く留まり得る微細な気泡を創出することが難しいものとなっている。
【考案の開示】
【考案が解決しようとする課題】
【０００５】
従来より養魚場の活漁水槽、生簀等で、水質浄化、生物成長育成用として使用されるエアレーション用の分散器においては、水に溶け込みやすい微細な気泡を創出できるようにすることが課題となっている。
【０００６】
また、容量の多い活漁水槽、生簀さらには海上、湖沼、河川等の一般水域において、水質の浄化、生物の生長育成を図る場合には、水中に送り込む空気や酸素等の気体の供給量を増加しなければならず、必然的にエアレーション用分散器の採用数にあっても必要数が増加する。エアレーション用分散器の製造コストを低く抑えることが設備費の経費削減にも繋がる。
【課題を解決するための手段】
【０００７】
本考案のエアレーション用の分散器は、水に溶け込みやすい微細な気泡を創出するとともに、素材の選択と製造工程の簡素化を図ることで製造コストを抑え、さらに材料の使用量を圧縮することによりエアレーション用の分散器を安価で提供することができる。
【０００８】
本考案の請求項１に記載のエアレーション用分散器は、厚みの薄いプレートの上面全面に、表面に親水性を有する不織布ならびに職布あるいは編布が貼張された高分子樹脂フィルムにクレーズを生成してなる通気性フィルムを載置し、周囲を溶着してプレートと高分子樹脂フィルムにクレーズを生成してなる通気性フィルムとの間に密閉された空間域を形成させた分散器であり、気体透過材として、水中にナノサイズの微細な気泡を創出することの容易な高分子樹脂フィルムにクレーズを生成してなる通気性フィルムを採用するとともに、厚みの薄いプレートに該高分子樹脂フィルムにクレーズを生成してなる通気性フィルムを載置した構成とすることにより厚みの薄化をなし得たことを特徴とするエアレーション用分散器である。
【０００９】
上記エアレーション用分散器１４の構成は、図１に示すように厚みの薄いプレート２の上面全面に、表面に親水性を有する不織布ならびに職布あるいは編布（以下「親水性を有する不織布」と記載する。）８が貼張された高分子樹脂フィルムにクレーズを生成してなる通気性フィルム（以下「クレーズフィルム」と記載する。）４が載置され、その周囲と任意の部分が溶着される。
【００１０】
この考案において、プレート２とプレート２の上面に載置されたクレーズフィルム４の周囲を溶着して、プレート２とクレーズフィルム４とを一体化することにより、プレート２とクレーズフィルム４との間に密閉された空間域が形成され、任意の部分を溶着することにより密閉された空間域に気体を注入する際に生ずるクレーズフィルム４の膨らみが抑制される。
【００１１】
プレート２の厚みは、プレートの素材としてポリプロピレンを採用した場合１ｍｍあればこの考案において変形することはなく、クレーズフィルムの素材フィルムとしては、一般に市販されている厚さ１〜８００μｍのポリプロピレンフィルムを採用することが望ましいことから、分散器の厚みはクレーズフィルムの上面に貼張される親水性を有する不織布の厚みを加えても４ｍｍ以下の薄さとすることができる。
【００１２】
本考案のクレーズフィルムの素材として使用される高分子樹脂としては、ポリプロピレンの他にもクレーズの生成が可能なポリオレフィン、ポリエステル、ポリアミド、スチレン系樹脂、ポリカーボネート、ハロゲン含有熱可塑性樹脂、ニトリル樹脂等を採用することができる。
【００１３】
本考案に採用されるクレーズフィルムは、基本的に、高分子樹脂フィルムの分子配向の方向と略平行に、幅が一般に０．５〜１００μｍ、好ましくは１〜５０μｍの縞状クレーズ領域を発生させたものであり。この縞状クレーズが、フィルムの厚み方向に連通して貫通することによりフィルムに通気性がもたらされる。
【００１４】
ここで言うクレーズとは、高分子樹脂フィルムの表面に現れる表面クレーズと内部に発生する内部クレーズを含むものであって、微細なひび状の模様を有する領域を言う。このクレーズは分子束〈フィブリル〉とミクロボイドから構成されており、ボイドが連通してフィルムの厚みを貫通することによりフィルムに通気性が生じることになる。
【００１５】
本考案においてクレーズフィルム４の表面全面には、水中に気泡を放出する際にクレーズフィルム４を透過して生成される微細な気泡を速やかに誘引して、微細な状態で水中に放出することを目的とする親水性を有する不織布８が貼張されている。
【００１６】
本考案に採用される親水性を有する不織布の素材としては、ポリビニルアルコール（ＰＶＡ）をアセタール化して得られるビニロンが親水性を有するとともに耐薬品性に優れ、化学繊維の特質として生物分解されないことからも本考案の使用に適した素材といえる。
【００１７】
親水性を有する不織布の素材としては、ビニロン以外の化学繊維として親水処理を施すことによりポリエチレン，ポリプロピレン，ポリアミド，ポリエステル，アクリル等を採用することができる。また、親水性，通気性に加えて耐腐食性を兼ね備えるものであれば、ガラス繊維，金属繊維等との複合不織布或いは複合織布であってもよく、材質，組成，織り方につて特に限定されるものではない。
【００１８】
プレート２には、プレート２の下部に固着された送気管１０を経て、プレート２とクレーズフィルム４との間に形成された密閉状態にある空間域２０に、空気や酸素等の気体を送気する注入口１２が設けられている。
【００１９】
本考案のエアレーション用分散器においては、主体となるクレーズフィルムと、該クレーズフィルムと同一の素材もしくは近似する素材からなるプレートを貼り合わせることにより、同一の素材もしくは近似する素材で構成することが溶着の容易な点で優れ、製造工程の簡素化がなされる。また、クレーズフィルムの表面に貼張する表面に親水性を有する不織布、送気管をも同一の素材もしくは近似する素材を用いて構成することにより廃棄後の分別収集が容易になる。
【００２０】
本考案の請求項２に記載のエアレーション用分散器２２は、表面全面もしくは部分的に親水性を有する不織布８が貼張されたクレーズフィルムにより筒状に形成された分散器であり、用いる素材を簡素化することにより製造工程の省力化を図り製造コストの削減をなし得たことを特徴とするエアレーション用分散器である。
【００２１】
請求項２に記載のエアレーション用分散器２２の形態は、エアレーション用として広く一般に知られる筒状の分散器の形態に似たものであるが、分散器全体を構成する気体透過材として、表面全面もしくは部分的に親水性を有する不織布８が貼張されたクレーズフィルムを採用することにより水中にナノサイズの微細な気泡を創出することが容易となり、クレーズフィルムを透過して創出された微細な気泡は、クレーズフィルムの表面を覆う親水性を有する不織布８により誘引されて、微細な気泡が水中に放出される。
【考案の効果】
【００２２】
本考案のエアレーション用分散器１４は、水に溶け込みやすい微細な気泡を創出するとともに、厚みが薄いため特に観賞魚用水槽に配置するに際し、少量の砂、小石等で分散器を覆うことによりその存在を容易に払拭することのできる。また分散器を構成する素材の高分子樹脂を同一の素材もしくは近似する素材で作成することが溶着の容易な点で優れ、分別収集にも寄与することとなる。
【００２３】
本考案のエアレーション用分散器２２は、クレーズフィルムを採用することにより水に溶け込みやすい微細な気泡を創出することが容易なものとなり、用いる素材と形態を簡素化することにより製造工程の省力化を図り製造コストの削減をなし得ることが容易なものとなった。
【考案を実施するための最良の形態】
【００２４】
以下、本考案を図面に示してさらに詳しく説明する。図１は、請求項１に記載された本考案のエアレーション用分散器１４の構成を説明する概略図であり、図２は図１に示したＡ―Ａ切断部の端面図である。図３は、本考案の請求項２に記載のエアレーション用分散器を説明する概略図である。
【実施例１】
【００２５】
本考案の請求項１に記載のエアレーション用分散器１４は、図１に示すように厚みの薄いプレート２の上面全面に、表面に親水性を有する不織布８が貼張されたクレーズフィルム４を載置し、周囲を溶着してプレート２とクレーズフィルム４との間に密閉された空間域２０を形成させた分散器であり、気体透過材として、水中にナノサイズの微細な気泡を創出することの容易なクレーズフィルム４を採用するとともに、厚みの薄いプレート２に該クレーズフィルム４を載置した構成とすることにより厚みの薄化をなし得たことを特徴とするエアレーション用分散器１４である。
【００２６】
この考案において、プレート２とプレート２の上面に載置されたクレーズフィルム４の周囲を溶着して、プレート２とクレーズフィルム４とを一体化することにより、プレート２とクレーズフィルム４との間に密閉された空間域が形成され、任意の部分を溶着することにより密閉された空間域２０に気体を注入する際に生ずるクレーズフィルム４の膨らみが抑制される。
【００２７】
本考案においてクレーズフィルム４の表面全面には、水中に気泡を放出する際にクレーズフィルム４を透過して生成される微細な気泡を速やかに誘引して、微細な状態で水中に放出することを目的とする親水性を有する不織布８が貼張される。
【００２８】
プレート２には、プレート２の下部に固着された送気管１０を経て、プレート２とクレーズフィルム４との間に形成された密閉状態にある空間域２０に、空気や酸素等の気体を送気する注入口１２が設けられる。
【００２９】
空気圧縮機（エアコンプレッサー）等を用いて０．０５〜０．３ＭＰａ程度に加圧された空気や酸素等の気体は、送気管１０を経て、プレート２とクレーズフィルム４との間に形成された密閉状態にある空間域２０に送気され、さらにクレーズフィルム４を構成する微孔（ボイド）を拡張して透過することにより水中にナノ単位の微細な気泡が創出される。
【００３０】
本考案のエアレーション用分散器は、前述されたように素材として薄厚の高分子樹脂板と高分子樹脂フィルムを採用していることと、使用の際にあっては分散器の空間域にエアーが送気されることから分散器に浮力が発生する。これを解消する方法としては本考案においてもウエイトが採用される。エアレーション用分散器とウエイトの構成は分散器の底部にウェイトが貼り付けあるいは装着された状態で存在する。
【００３１】
ウェイトの材質としては一般に同様の目的で使用されるステンレス等の防錆材あるいは防錆処理のなされた金属薄板が使用されるが環境の問題を考慮して素材の選定をする場合はセラミックス、タイルなどの焼成物を採用してもよい。
【００３２】
また、浮き上がりを紡糸する方法としては、吸盤による固定もかんがえられるが、この場合には吸着面が平滑であることが要件となり使用の範囲が限定される。
【実施例２】
【００３３】
本考案の請求項２に記載のエアレーション用分散器２２は、図３に示すように表面全面もしくは部分的に親水性を有する不織布８が貼張されたクレーズフィルム１８により筒状に形成された分散器であり、用いる素材を簡素化することにより製造工程の省力化を図り製造コストの削減をなし得たことを特徴とするエアレーション用分散器である。
【００３４】
請求項２に記載のエアレーション用分散器２２の形態は、エアレーション用として広く一般に知られる筒状の分散器の形態に似たものであるが、分散器全体を構成する気体透過材として、表面全面もしくは部分的に親水性を有する不織布８が貼張されたクレーズフィルム１８を採用することにより水中にナノサイズの微細な気泡を創出することが容易となり、クレーズフィルム１８を透過して創出された微細な気泡は、クレーズフィルム１８の表面を覆う親水性を有する不織布８により誘引されて、微細な気泡が水中に放出される。
【図面の簡単な説明】
【００３５】
【図１】本考案の請求項１に記載のエアレーション用分散器を説明する概略図。
【図２】図１に示したＡ―Ａ切断部の端面図。
【図３】本考案の請求項２に記載のエアレーション用分散器を説明する概略図。
【符号の説明】
【００３６】
２    プレート
４    クレーズフィルム
６    溶着部
８    親水性を有する不織布
１０    送気管
１２    気体注入口
１４    エアレーション用分散器
１８    クレーズフィルム
２０    空間域
２２    エアレーション用分散器
【図１】
0003133806.tif 000003
【図２】
0003133806.tif 000004
【図３】
0003133806.tif 000005